(57)【要約】【課題】  画像編集装置の表示画面に表示されたウインドウにおいて、操作性の優れたシャトル機能を実現する。【解決手段】  スライダー表示の中央に原点を設け、その原点をはさんだ所定範囲内は、どの位置にいてもツマミを離せば自動的に原点に戻り、動画像表示を停止状態とし、その所定範囲外は、ツマミは移動した位置に静止したままで、設定した再生速度で動画像表示する更に、所定範囲内を画像所定再生速度範囲、所定範囲外をツマミの位置に応じて再生速度が設定される画像所望再生速度範囲とし、マウス等によりツマミ位置を移動させることにより、所望の再生速度で動画像を表示する。【選択図】図１
2005269659.tif 000002
【特許請求の範囲】
【請求項１】
映像と音声とを含む映像情報を記録再生する手段と、該記録再生手段から再生される映像情報を表示する手段と、前記記録再生手段から再生された動画像とともに前記表示手段上に表示された該動画像の再生速度を指示するためのスライダー図形とツマミ図形とを含む操作部図形及び前記スライダー図形に対する前記ツマミ図形の相対的位置に応じて変化する前記動画像の前記再生速度を表示する再生速度表示領域とを有し前記再生速度表示領域に表示する数値を変更することによって、変更した数値に対応して再生速度を設定する手段と、連動図形を前記表示手段上に設け、該連動図形をアクティブとして前記再生速度表示領域に表示される数値が変更されたときには前記再生速度表示領域の表示と連動してスライダー図形のツマミ図形が移動することを特徴とする動画像表示装置。
【請求項２】
映像と音声とを含む映像情報を記録再生する手段と、該記録再生手段から再生される映像情報を表示する手段と、前記記録再生手段から再生された動画像とともに前記表示手段上に表示された該動画像の再生速度を指示するためのスライダー図形とツマミ図形とを含む操作部図形及び前記スライダー図形に対する前記ツマミ図形の相対的位置に応じて変化する前記動画像の前記再生速度を表示する再生速度表示領域と、前記表示手段上に表示された、前記再生速度を調整するボタン図形とを有し、該ボタン図形によって前記再生速度表示領域に表示する数値を変更することによって、変更した数値に対応して前記再生速度を設定する手段と、連動図形を前記表示手段上に設け、該連動図形をアクティブとして前記再生速度表示領域に表示される数値が変更されたときには瞬時に動画像の再生速度が変更され、かつ前記再生速度表示領域の表示と連動してスライダー図形のツマミ図形が移動することを特徴とする動画像表示装置。
【請求項３】
映像と音声とを含む映像情報の記録再生ユニットと、該記録再生ユニットからの再生映像情報を表示する表示ユニットとを有する動画像表示装置に使用する動画像表示方法であって、少なくとも前記記録再生ユニットからの再生動画像と、該動画像の再生速度を指示するためのスライダー図形と可動ツマミ図形を含む操作部図形と、前記再生速度を表示する再生速度表示領域と、連動ボタン図形とを前記表示ユニット上に表示し、前記連動ボタン図形のオン／オフをチェックし、前記連動ボタンがオフなら、前記スライダー図形上で所定範囲の前記ツマミ図形の位置に応じて前記再生速度を変化させ、前記連動ボタンがオンなら前記再生速度表示領域に再生速度値が設定されているか否か判定し、前記再生速度値が設定されているなら前記ツマミ図形を前記スライダー図形上の対応位置に移動すると共に前記動画像を前記再生速度値の再生速度で再生することを特徴とする動画像表示方法。
【請求項４】
請求項３記載の発明において、前記再生速度値がゼロなら、前記ツマミ図形を前記スライダー図形上の再生速度の停止点に移動させるステップと、前記再生速度をゼロにするステップとを有することを特徴とする動画像表示方法。
【請求項５】
請求項３記載の発明において、上記スライダー図形の所定範囲は再生速度の停止点を含む順方向と逆方向である第１の動画像表示速度領域と、上記第１の動画像表示速度領域以外の逆方向である第２の動画像表示速度領域と、上記第１の動画像表示速度領域以外の順方向である第３の動画像表示速度領域を有し、前記再生速度を変化させるステップが、前記スライダー図形上の前記ツマミ図形の位置を検出し、前記ツマミ図形の前記第１と第２及び第３の動画像再生速度領域上の位置に応じて前記動画像の再生速度を変化させるステップを含むことを特徴とする動画像表示方法。
【請求項６】
請求項５記載の発明において、前記ツマミ図形の位置が前記第１の動画像再生速度領域上であるとき、前記ツマミ図形を自動的に所定位置に移動するステップを含むことを特徴とする動画像表示方法。
【請求項７】
請求項６記載の発明において、前記所定位置が前記スライダー図形上の中央または中央付近に設定した原点であることを特徴とする動画像表示方法。
【請求項８】
請求項６記載の発明において、前記ツマミ図形が前記所定位置にあるとき、前記再生速度をゼロに設定するステップを有することを特徴とする動画像表示方法。
【請求項９】
請求項４記載の発明において、再生初期値表示領域も前記表示ユニット上に表示され、前記ツマミ図形を前記原点に移動させるステップに引き続き、前記再生初期値表示領域に再生初期値が設定されていれば、該再生初期値で前記動画像を再生するステップを有することを特徴とする動画像表示方法。
【請求項１０】
少なくとも、映像及び音声を含む映像情報の記録再生ユニットからの再生動画像と、該動画像の再生速度を指示するためのスライダー図形及び可動ツマミ図形を含む操作部図形と、前記再生速度を表示する再生速度表示領域と、連動ボタン図形とを表示ユニット上に表示するコンピュータ読み込み可能なプログラム手段であって、前記連動ボタン図形のオン／オフをチェックするコンピュータ読み込み可能なプログラム手段と、前記連動ボタンがオフなら前記スライダー図形上の前記ツマミ図形の位置に応じて前記再生速度を変化させるコンピュータ読み込み可能なプログラム手段と、前記連動ボタンがオンなら前記再生速度表示領域に再生速度値が設定されているか否か判定するコンピュータ読み込み可能なプログラム手段と、前記再生速度値が設定されているなら前記ツマミ図形を前記スライダー図形上の対応位置に移動すると共に前記動画像を前記再生速度値の再生速度で再生するコンピュータ読み込み可能なプログラム手段とを記録することを特徴とする動画像表示手順を記録する記録媒体。
【発明の詳細な説明】
【技術分野】
【０００１】
本発明は、テレビジョン放送番組やビデオ番組などの番組制作に使用する編集装置、特に、動画像の番組制作に好適な動画像表示装置及び動画像表示方法に関するものである。
【背景技術】
【０００２】
情報化時代への急速な進展とともに、テレビジョン放送番組やビデオ番組を制作する制作設備のコンピュータを使用した高機能化が急速に進展している。特に近年の番組制作は、従来のようにビデオテープレコーダを使用し、テープカウンタを便りに、早送り、巻き戻し等を繰り返して映像情報の編集を行うような映像編集方法を使用するよりも、取り扱いや保存が容易で廉価なハードディスクや光ディスクに映像情報を記録することによって、映像情報の編集を行う動画像編集装置を使用した映像編集方法が多く使用されている。
【０００３】
しかしながら、コンピュータを使用し高機能化はされたが、このハードディスクや光ディスクを使用する磁気記録再生装置を備えた動画像編集装置における編集作業には、動画像を例えばハードディスクに記録する作業や、ハードディスクに記録された動画像をプレビューして確認する作業が必要である。（プレビューとは、映像情報の編集途中あるいは編集が完了した結果を、ディスプレイ上に再生し確認することである。）
一般的に、映像情報の編集を行う動画像編集装置は、動画像の編集において、動画像編集装置を構成するシステム制御コンピュータに接続したディスプレイ上に、ソフトウェアの働きにより操作及び制御ウインドウを表示し、この操作及び制御ウインドウを使用して、動画像編集装置の操作及び制御を行う。
【０００４】
ソフトウェアの働きにより、ディスプレイ上の操作及び制御ウインドウには、マウスやキーボード等の入力装置の操作と組み合わされることでスライダーや押しボタンスイッチ等の機能を代替するための操作パネルが表示され、例えばスライダーの機能を代替する長方形の表示領域（以下、スライダーと称す。）の中に、さらに、スライダーのツマミを模擬した矩形の表示領域を設けており、この矩形の表示領域（以下、ツマミと称す。）に、システム制御コンピュータに接続されたマウスを使用してカーソルを重ね合わせ、マウスでクリック（マウスに付属している押しボタンスイッチを押す操作をすることである。）し、あるいはドラッグ（マウスの押しボタンスイッチを押しながら、マウスを移動させることで、カーソルを重ね選択されている図形の位置を移動させる等の操作をすることである。）して移動させることにより、例えばビデオテープレコーダに付属しているダイヤル式のシャトル機能と、同様の機能を実現するシャトル機能を設けている。
【０００５】
ここで、一例として、図８に、一般に使用されている動画像編集ソフトウェアを使用した場合の編集操作用の画面構成例を示す。類似の画面がＭＥＤＩＡ ＳＵＩＴＥ ＰＲＯ，Ｕｓｅｒ’ｓ Ｇｕｉｄｅ ｆｏｒ ＴＨＥ ＩＮＤＩＧＯ（登録商標） ＦＡＭＩＬＹ，Ｖｅｒｓｉｏｎ １．０，Ｐ．５９，１９９４に示されている。この編集操作用の画面において、表示されているウインドウ８００は、編集システムに動画データを取り込み記録する等の編集作業用のものであり、ウインドウ８００の中央部分に画像表示部８０２があり、上述のシャトル機能と同様の機能を実現するスライダー８０１がウインドウ８００の右側操作パネルに設けられている。
【０００６】
一般に、このようなシャトルの機能動作のタイプとしては、主に、つぎに説明するタイプ（以下の説明図面には、シャトル機能を実現するスライダー部分のみ記載されている。）が知られている。類似のシャトル機能がＡｄｏｂｅ ＰｒｅｍｉｅｒｅTM Ｕｓｅｒ Ｇｕｉｄｅ Ｖｅｒｓｉｏｎ ４．０，１９９４，ｐａｇｅ１２２に開示されている。この従来の（第１のタイプの）シャトル機能は図２に示すように、編集している動画像の全フレームをスライダーの全スケールに一致させたタイプである。すなわち、表示されているスライダー２００のツマミ２０１を、マウスを使用してドラッグし、スライダー２００の左端２０４に移動させると、動画像対象ファイルの先頭フレーム２０２（ＩＮ点と称する）を指示し、ドラッグしてスケールの右端２０５に移動させるとファイルの最終フレーム２０３（ＯＵＴ点と称する）を指示するタイプのものである。
【０００７】
また、このタイプのスライダー２００は、ドラッグしているツマミ２０１を離して、ドラッグ操作をやめると、ツマミ２０１はそのままツマミ２０１を離した位置に静止している。
【０００８】
第２のタイプとして、図３に示すように、スライダー３００の中央または中央付近を原点３０２とし、その位置にツマミ３０１がある場合は画像の再生速度が０となり、静止画像表示となるようにすることも可能である。この場合、ツマミ３０１を右に動かせば順方向に、左に動かせば逆方向に画像が再生され、さらに、ツマミ３０１の原点３０２からの移動量に応じて再生速度が変化する、すなわち割り当てられた再生速度でもって動画像の再生を行うものである。
【０００９】
例えば、通常の再生速度を１とすれば、スライダー３００の右端の位置では通常のｎ倍の速度で再生され、左端の位置では通常とは逆方向に通常のｎ倍の速度で逆再生される。この第２のタイプのシャトル機能では、任意の位置でツマミ３０１を離せば、ツマミ３０１は移動したその任意の位置に静止し、ツマミ３０１が静止した位置の再生速度で再生し続ける。この第２のタイプの場合、再生を停止させるためには、操作者が、ツマミ３０１を原点３０２に戻す作業が必要である。
【発明の開示】
【発明が解決しようとする課題】
【００１０】
上述のように、動画像編集ソフトウェアを使用した編集システムが備える動画像再生のためのシャトル機能にはいくつかの種類がある或いは考えられるが、編集中の、あるいは編集が完了した時点での編集経過あるいは編集結果の内容の確認をプレビューする場合には、それぞれ以下の問題が発生する。
【００１１】
第１のタイプのシャトルの場合には、プレビューする対象が長時間に及ぶ画像であると、ツマミの移動量に対して割り当てられるフレーム数が多くなり、例えば１フレームだけ戻したいというような、微調整作業を行うことが、ツマミの相対する移動量が極く短くなるので、操作が困難になってしまうし、また、スロー再生や倍速再生などの、長期間にわたる同一速度での再生作業には適さない。
【００１２】
また、第２のタイプのシャトルの場合には、ある再生速度で再生を行っている途中に、シャトル機能を使用して再生を停止させるためには、ツマミを原点に戻す作業が必要になるが、ツマミを一回の操作で確実にスライダーの原点に合わせることは非常に困難であり、左右に行き過ぎてしまうことが多くなり、時間がかかる。
【００１３】
以上のように、シャトル機能を使用してプレビューを行う場合には、それぞれに長所、短所があり、スロー再生、早送り再生等を行う場合には、上述の第１のタイプは不適当であり、また、上述の第２のタイプのように原点に自動復帰する機能がない場合には、目的のフレームが出現したときにすぐ再生を止めてそのフレームを表示させたい場合などに、再生速度をゼロにする場所までツマミを移動させなければならないが、操作が難しい。
【００１４】
本発明の目的は、上記の問題を解決し、編集のためのウインドウにおいて、スライダーの中央または中央付近に原点を設け、原点をはさんだ、例えば、左右均等の所定範囲内は、ツマミがどの位置にいても自動的に原点に戻り、再生速度がゼロとなり、動画像表示を停止状態とし、所定範囲外は、ツマミは移動した位置に静止したままで、その位置に設定した再生速度で動画像表示する動画像表示方法及び装置を提供することである。
【００１５】
本発明の第２の目的は、ツマミを離せば全ての位置から原点にツマミの位置が復帰することができる動画像編集装置及び動画像表示方法を提供することである。
【課題を解決するための手段】
【００１６】
上記の目的を達成するために、本発明の動画像表示方法は、編集のためのウインドウに表示したスライダー図形の領域を、該スライダー図形の中央を原点として、第１の領域と該第１の領域の外側（第２の領域）とに分け、ツマミを前記スライダー図形の該第２の領域に移動させて、あるいは更に前記ツマミを該第２の領域で離した場合は、前記ツマミはその位置に停止して、前記ツマミと前記スライダー図形の原点からの距離に応じて設定した所望の速度で画像表示を続け、前記ツマミが前記スライダー図形の前記第１の領域内にて移動しているあるいは前記ツマミを離し停止した場合には、前記ツマミは自動的に前記スライダー図形の原点に復帰し、画像再生表示を停止状態又は静止状態とするものである。
【００１７】
また、前記第１の領域の範囲は設定可能とし、必要に応じて、前記スライダー全体に広げることによって前記ツマミを離せば全ての位置から原点に前記ツマミの位置を復帰できるようにしてもよい。
【００１８】
更に、前記ツマミをマウスでクリックし続けている間だけマウスの位置に対応する再生速度で再生し、操作者が前記ツマミを離せば前記スライダー図形全域において自動的に原点に復帰し、再生を停止状態としてもよい。
【発明の効果】
【００１９】
本発明によれば、操作性の優れたシャトル機能をもつ表示画面を実現できるため、映像素材から記録された内容や編集中あるいは編集完了後のシーンの内容を確認するために好適なプレビュー機能を提供できる。
【発明を実施するための最良の形態】
【００２０】
本発明による動画像表示方法を実施する編集装置としては、映像と音声とからなる映像情報を記録したビデオテープ、フイルム、ビデオディスク等の映像素材を再生するための、例えばビデオテープレコーダのような映像再生装置から映像情報を入力し、磁気ディスクや光ディスクなどの記録媒体に記録する機能を備える記録再生装置を有するものがある。
【００２１】
この記録再生装置において、映像情報を記録した、例えば磁気ディスクなどの記録媒体は、通常、システム制御コンピュータに接続されたマウスやキーボードなどの指示装置を介して操作者がアクセスすることで読み出され、映像情報がディスプレイ画面上に表示されて、所要の編集順序に従った映像情報の配置やワイプのような特殊効果処理などの編集に使用される。
【００２２】
このような編集作業の過程では、映像素材から記録された内容や、編集中あるいは編集完了後のシーンの内容を確認するためには、通常、プレビュー機能を使用して映像及び音声を再生する。
【００２３】
操作者は、マウスやキーボードなどの指示装置により所要のシーンを選択し、プレビュー機能を選択すると、図６に示すようなプレビューウインドウ５００が立ち上がり、画面上に表示されて、プレビューウインドウ５００上の画像表示部５０３に、動画が再生表示される。図６については後で詳述する。
【００２４】
図４に本発明の一実施例の動画像編集装置の構成を示す。図４において、２１１はＣＰＵ、２１２はメモリ、２１３はシーン変化点検出部、２１４はビデオインタフェース、２１５はＶＴＲ、２１６は磁気記憶装置、２１７はフレームバッファ、２１８はモニタ、２１９は入力部、２２０はバスである。メモリ２１２、シーン変化点検出部２１３、ビデオインタフェース２１４、磁気記憶装置２１６、フレームバッファ２１７、モニタ２１８、入力部２１９はバス２２０を通してＣＰＵ２１１に接続され、ＶＴＲ２１５はビデオインタフェース２１４に接続されている。
【００２５】
図４において、ＶＴＲ２１５は装着済みのビデオテープから複数のシーンからなる一連の動画像と音声とからなる映像情報を再生する。ビデオインタフェース２１４は前記ＶＴＲ２１５からの映像情報を入力し、この装置で動画像を扱うフォーマットに変換してバス２２０を介して磁気記憶装置２１６に入力する。このとき、前記ＶＴＲ２１５から１フレーム単位の動画像がビデオインタフェース２１４、バス２２０を介してシーン変化点検出部２１３に供給される。モニタ２１８は例えばＣＲＴディスプレイ装置で、編集に用いるシーン、カット及び編集状態を表示する。フレームバッファ２１７は前記モニタ２１８に表示するための画像を記憶する。前記シーン変化点検出部２１３は、入力された動画像について各画像間の色情報を解析し、この変化が著しい部分をシーンの変化点として検出する。このシーンの変化点は、画像編集に必要なシーンやカットを探し出すために使用される。磁気記憶装置２１６は前述の複数のシーンからなる一連の動画像の他、変化点を記述したフレーム番号と、高速表示用画像ファイル名からなる動画像情報と、高速表示用動画像とを記憶する。このとき、複数のフレームからなる動画像全体あるいは分割されたそれぞれのシーンを高速で見たい場合、高速表示とカットの代表画像として、表示されるサイズに合わせて間引きした高速表示用動画像が、高速表示用ウインドウ内に表示される。
【００２６】
図５は前記モニタ２１８に表示された動画像編集装置の編集画面の一例を示す図で、３１０は高速表示用ウインドウ、３１１は高速表示用動画像（Ｍｏｖｉｎｇ Ｉｃｏｎ：以下、Ｍ−アイコンと称す）、３１２は各種機能ボタン、３１３は編集ウインドウを示す。図５のように、Ｍ−アイコン３１１は高速表示用及びカットの代表画像を、高速表示用ウインドウ３１０内に画像サイズ（８０×６０画素）に合わせて縮小して表示する。各種機能ボタン３１２は、オペレータが画面上で各種の操作を行うための機能ボタン、編集ウインドウ３１３は各種の編集操作を行うためのエリアである。図５の画面はＧＵＩ（Ｇｒａｐｈｉｃ Ｕｓｅｒ Ｉｎｔｅｒｆａｃｅ）画面であり、オペレータがこのＧＵＩ画面上で入力部２１９のマウス等のポインティングデバイスとキーボードを用いて、動画像の高速出力の指示等、動画像の編集を行う。この入力部２１９から動画像の高速出力が指示されたとき、ＣＰＵ２１１は上記各カットの高速出力用の画像を前記磁気記憶装置２１６から連続して読み出して前記モニタ２１８に表示する。以上の動作を行う際に、前記ＣＰＵ２１１はバス２２０を介して、メモリ２１２、シーン変化点検出部２１３、ビデオインターフェース２１４、磁気記憶装置２１６、フレームメモリ２１７にアクセス信号を送り各種制御を行う。前記メモリ２１２は前記ＣＰＵ２１１の各種制御プログラムを記憶する。
【００２７】
上記の動画像編集装置により、カット単位の分割が自動的に行われ、動画像をシーン、カット単位で記憶して管理することができ、必要なシーン、カットを容易に探し出すことができる。しかもシーン、カットを単位とした編集にも容易に対応でき、オペレータの作業を軽減することができる。
【００２８】
ここでフレーム間の変化量の大きさによって、入力された動画像の変化点を検出する手段としては、例えば特開平２−１８４１８１号公報に示されている様に、区画像間の照度や音量、色調などを解析し、それらの変化が著しい部分をシーンの変化点として検出するものがある。
【００２９】
オペレータが図４に示す構成の動画像編集装置によって、任意のシーンを選択し編集作業を行う場合には、シーンのつなぎ方を指定することはもちろん、各シーンの中で実際に使用する区間を指定するトリミングを行うことや、シーンとシーンの変わり目に変化を持たせるワイプやディゾルブ等の特殊効果を施す。前述のトリミング作業等の編集作業を行う場合、オペレータは画像を再生しながら、ジョグ機能やシャトル機能等を操作して、何回も順・逆方向に再生を繰り返して目的とする編集点が再生されるのを見ながらその編集点を特定する。このようにオペレータが目的とする編集点（トリミングを行うためのフレーム等）を速やかに見つけるために、映像の再生を行うウインドウにコマ送りや、早送りのボタン、さらにはシャトル機能を設けている。
【００３０】
ここでジョグ機能とは、所定角度回転につき１フレーム毎に再生する機能をさし、シャトル機能とは起点からの変位角に応じた再生速度で再生する機能をいう。このシャトル機能として、スライダー表示の中央に原点を設け、その原点をはさんだ所定範囲内にはどの位置にいても自動的に原点に戻り、動画像表示を停止し、他方、その原点をはさんだ所定範囲外ではツマミを移動した位置で静止したまま設定した再生速度で動画像表示をするようにした実施例につき、以下で説明する。
【００３１】
以下、本発明の動画像表示方法におけるシャトル機能の一実施例を説明する。図６は、画像表示部５０３と、画像表示部５０３に再生する動画像の再生状態を制御する押しボタンスイッチ群５０５と、動画像を順方向・逆方向とも再生速度を可変することのできる機能を実現するためのスライダー５０１が作り込まれたプレビューウインドウ５００を示している。
【００３２】
本発明の動画像表示方法におけるシャトル機能は、最初のプレビューウインドウ表示時（プレビュー開始時）または動画像表示が静止している時にスライダー５０１の中央にあるツマミ５０６にマウスでカーソルを重ね合わせ、クリックしまたはドラッグして、左あるいは右に移動させることで（例えば、中央から右に移動させると順方向に）、中央から移動させた距離に対応して、あらかじめ設定された再生速度で再生を行うことができる。この再生速度は、対数間隔で配置された対数目盛５０４に合わせ、０倍からｎ倍の再生速度を設定することにより、広範囲の再生速度を表現することが可能になっている。
【００３３】
上記のシャトル機能を、該シャトル機能のフローチャートを示す図７に言及し具体的に説明する。なお、図７のフローチャートを実現するプログラムはコンピュータで読み込み可能な媒体に記憶してもよい。図７のフローチャートに示すように、プレビュー開始（ステップ６００）機能が呼び出されると、ディスプレイ上に前述の再生操作用の押しボタンスイッチ群５０５とスライダー５０１等が表示され（ステップ６０１）、画像表示部５０３には先頭フレームの画像が表示される。ここで操作者が、マウスを使用して、前記スライダー５０１の中央にあるツマミ５０６をクリックし、ドラッグして移動させると、このときのマウスの移動量（すなわち該ツマミ５０６の中央からの移動量）を検出して（ステップ６０２）、その移動量に応じてあらかじめ設定した再生速度で画像が再生されるように、再生に使用するフレーム順序の算出を行い（ステップ６０４）、その算出に基づいてデータを出力する（ステップ６０６）。 フレームの算出は、１倍速未満の速度で再生する場合には、同一フレームを何回か出力するか、あるいは一定間隔ごとに次のフレームを送出する方法とする。逆に、１倍速を越える速度で再生する場合には、何フレームかごとに数フレームのデータを抜出して出力することで、所望の再生速度を実現することができる。このときの再生は、マウスにより前記ツマミ５０６がクリックされドラッグした状態であっても、あるいは前記ツマミ５０６がドラッグから離れた状態であっても、前記ツマミ５０６を移動させた位置に表示させ、当該位置の再生速度での再生を継続させる。
【００３４】
この機能により、マウスの機能を前記スライダー５０１の操作から解放することが可能となるため、マウスを使用した別の処理、例えば、動画像と音声を確認しながら、すなわちプレビューしながら、トリミングのＩＮ／ＯＵＴ点の設定をマウスを用いて行うような機能を作成することができる。また、プレビュー時に、キーボードからＩＮ／ＯＵＴ点設定を行う際にも、操作者がマウスの操作に気を取られずに作業が行えることが可能となる。さらに、操作者が別の再生速度で再生したい場合には、マウスで前記ツマミ５０６を所要の位置に移動させるだけでよい。
【００３５】
次に、再生を中止（停止）させる場合には、押しボタンスイッチ群５０５の停止ボタンスイッチをクリックするか、前記スライダー５０１の前記ツマミ５０６を中央位置（対数目盛５０４の０位置）に戻すことで再生を中止（停止）することができる。しかし、通常、前記ツマミ５０６を中央位置の一点に合わせるためには、ビデオテープレコーダなどのシャトルダイヤルが備えているようなツマミが原点に来たことを示す機械的な引っ掛かり（ストッパー）を持っていないので、一回の操作で原点に戻すことは、従来は、操作にかなりの熟練度を必要とした。
【００３６】
そこで、本発明の動画像表示方法におけるシャトルにおいては、マウスにより移動してきた前記ツマミ５０６の位置を検出し、その結果、図１に示すように、あらかじめ設定したスライダー５０１の原点位置中心付近の一定の区間（第１の領域）１００内に前記ツマミ５０６が移動した場合には（ステップ６０７）、自動的に前記ツマミ５０６の表示を原点０に戻し、同時に再生を中止（停止）して、映像及び音声の再生を停止状態にする機能を設けた（ステップ６０８）。
【００３７】
この機能により、操作者が前記ツマミ５０６を原点にあわせる手間を大幅に削減することが可能である。さらに、上述の一定区間（第１の領域）の範囲を前記スライダー５０１全体に広げることによって任意の位置からツマミを自動的に中央部に戻すことも可能である。
【００３８】
また、本発明の動画像表示方法においては、図９のフローチャートに示すように、さらに、マウスの押しボタンスイッチのクリックの状態を監視し、前記ツマミ５０６を移動した位置で、クリックし続けている間だけ当該速度で再生し（ステップ７００）、操作者が前記ツマミ５０６を離せば、前記スライダー５０１の全領域において自動的に原点０に復帰し停止状態となる機能も併せて設けることができる。なお、図１のフローチャートを実現するプログラムはコンピュータで読み込み可能な媒体に記憶することができる。
【００３９】
このシャトル機能を使用すると、小刻みに再生を繰り返し、所望のフレームを探し出す処理を容易に行うことができる。また上述の、前記ツマミ５０６を離すと原点に復帰するかその位置で停止するかの２つの機能は、オートリターン（Ａｕｔｏ Ｒｅｔｕｒｎ）の押しボタンスイッチ５０２をクリックすることで交互に切換えられるようにしてあるため、操作者は、そのときの状況に応じたシャトル機能を、容易に使用することが可能である。
【００４０】
なお、上述した本発明のシャトル機能は、編集中（あるいは編集が完了した）シーンのプレビューによる確認作業だけではなく、モニタが接続されたビデオテープレコーダの制御にも適用できることは言うまでもない。
【００４１】
本実施例によれば、編集のためのウインドウにおいて、スライダーの中央または中央付近に原点を設け、原点をはさんだ左右均等の所定範囲内は、ツマミがどの位置にあっても自動的に原点の位置に戻り、再生速度が０となり、動画像表示を停止状態又は静止状態とし、所定範囲外では、ツマミは移動した位置に静止したままで、その位置に設定された再生速度で動画像表示する。さらに、それらの機能と、ツマミを離せば全ての位置から原点に復帰することができるようにした機能とを交互に切換えられるようにした動画像編集装置に使用する動画像表示方法及び装置を提供することができる。
【００４２】
上述の実施例では、図６のように再生画像表示ウインドウ５００が表示されている場合において、または動画像表示が静止している場合に、シャトル機能設定スライダー５０１の中央にあるツマミ５０６にマウスでカーソルを合わせ、クリックまたはドラッグを行い該シャトル機能設定スライダー５０１の左または右に移動させることで中央から移動させた距離に対応して、あらかじめ設定した再生速度で再生が行われる。
【００４３】
しかしこの場合オペレータは、動画像を所要の再生速度で再生させるためには、ツマミを目的の再生速度の位置まで移動させる必要がある。
このため、上記実施例のシャトル機能では、オペレータは再生開始直後から任意の再生速度で再生することはできない。
【００４４】
本発明の以下に説明する実施例は、画像の再生用ウインドウの再生速度を示すウインドウを用いて再生する速度を指定できるようにし、更に、設定した内容をすぐに反映できるモードを作成したものである。本実施例を図４，５，６，１０，１１に言及して以下で説明する。
【００４５】
以下、本実施例を、撮影してきた素材に対して編集作業をする作業を例にとり説明する。なお、本実施例の説明には図４と同じ構成の動画像編集装置を用いる。 図５において、オペレータは各シーンに含まれる映像の内容を確認するために、表示されたＭ−アイコン３１１の一つを選択し、機能ボタン群３１２のうちのプレビューボタンをクリックすると、プレビュー機能によりＣＰＵ２１１は対応する動画像の１フレーム目のみを読み出し、モニタ２１８に図６のように動画が表示・再生され、オペレータはそれを見ながら確認を行う。ここでプレビュー機能とは、編集途中あるいは編集が完了した結果をディスプレイ上に再生する機能であり、オペレータはこの画像を見ることで編集内容の確認を行う。
【００４６】
図１０は本発明の動画像編集装置の画像再生用ウインドウの一実施例で、１１０は再生画像表示ウインドウ、１１１は表示・再生ウインドウ、１１２，１１３，１１４は再生ボタン群、１１５はシャトル機能設定スライダー、１１６は再生速度表示ウインドウ、１１７は再生速度変更ボタン、１１８は連動ボタン、１１９は原点復帰ボタン、１２０はセットボタン、１２１はジャンプボタン１２２はシャトル機能設定ツマミである。
【００４７】
図１０において、オペレータが再生用の各ボタン群１１２，１１３，１１４をクリックすることで、順・逆方向再生、コマ送り、早送りなどを行うか、シャトル機能設定スライダー１１５のシャトル機能設定ツマミ１２２を左右に移動させて（順・逆方向の）スロー再生、早送り再生を行う。
【００４８】
また、シャトル機能設定スライダー１１５を用いた場合の再生速度は、再生速度表示ウインドウ１１６に表示され、オペレータはこの値を確認しながら所望の再生速度に設定する。しかし、瞬時に（目的のフレームから）所望の再生速度に設定する（ツマミを移動させる）のは困難である。
【００４９】
そこで本実施例においては、再生速度表示ウインドウ１１６に、再生速度を入力（指定）できる機能と再生速度の調整または微調整をする再生速度変更ボタン１１７を付加し、更に変更した結果を瞬時に再生速度に連動させるか否かを指定するための連動ボタン１１８を設けた。
【００５０】
あらかじめ連動ボタン１１８が押されていれば、再生速度変更ボタン１１７を押した直後あるいは入力部２１９のキーボードから再生速度を入力し確定６０７）、再生を静止状態とする（ステップ６０６）。なお、図１１のフローチャートを実現するプログラムはコンピュータで読み込み可能な媒体に記憶することができる。
【００５１】
図１２は図１０に示す動画像編集装置の画像再生用ウインドウに再生初期値表示ウインドウを設けた本発明の更に別の実施例のシャトル機能を説明するための図である。
図１２において、１２３は再生初期値設定ボタン、１２４は再生初期値表示ウインドウを示す。図１３は本実施例のシャトル機能を実行するための処理手順を示すフローチャートである。なお、このフローチャートを実現するためのプログラムをコンピュータで読み込み可能な媒体に記憶することができる。
【００５２】
図１３において、シャトルのツマミ１２２がスライダー１１５の中央の一定区間（原点）に戻されると（ステップ６０７）、再生初期値表示ウインドウに再生初期値が設定されているか否か判定し（ステップ７６０）、設定されていれば該設定初期値の再生速度で動画像及び音声が再生される（ステップ６０４，６０５，６０６）。設定されていなければ、再生を停止又は静止状態とする（ステップ６０８）。
【００５３】
なお、この再生初期値の設定は例えばキーボードから入力する他、再生初期値表示ウインドウ１２４をマウスでクリックし、設定可能な値のリスト１２５を図１４に示す如く表示し、このリストの中の値を選択するようにしてもよい。又、この選択された値は再生初期値表示ウインドウ１２４に表示される。
【００５４】
ところで編集作業においては、しばしば編集の特殊効果を上げるために、特定の区間をスロー再生したり、逆方向に再生したりという手法を用いることがある。本発明はこの編集効果をあらかじめ確認したい場合等に効果的である。具体的には、特殊効果を施す先頭フレームを特定し（勿論、この作業においても本発明の機能が有効である）、セットボタン１２０をクリックする。次に、再生する速度を指定し、再生用ボタン１１２又は１１４を押す。こうして、オペレータが再生される映像を見て確認すれば、編集効果の評価を確かめることができる。
【００５５】
また別の再生速度で再生を行いたい場合には、ジャンプボタン１２１を押せば、セットボタン１２０で設定したフレームまで移動する。以下、オペレータは同様に再生速度設定と再生を繰り返し、編集状態の確認を行いながら動画像の編集を進めることができる。
【００５６】
このように、再生速度を指定できる機能を用いることで、どの程度の再生速度で再生すれば最も効果的な編集が行えるかの確認を、簡単に行うことができる。なお、磁気記憶装置２１６の代わりに、他の記憶媒体、例えば、ＭＯディスク記憶装置を用いたり、あるいはネットワークを介したリモートファイルを用いてもよいことは自明である。
【００５７】
これによりオペレータは、動画像再生の直後から目的の再生速度での再生を行うことができ、編集点の検索、スロー再生、逆再生という編集効果作成の試行作業を効率よく行うことができ、編集時の特殊効果作成作業の効率向上が実現できる。
【図面の簡単な説明】
【００５８】
【図１】本発明のスライダー及びその機能の一例の説明図。
【図２】従来のスライダー及びその機能の説明図。
【図３】従来のスライダー及びその機能の説明図。
【図４】本発明の一実施例による動画像編集装置の構成を示すブロック図。
【図５】図４の動画像編集装置の編集画面表示例を示す図。
【図６】本発明の動画像表示方法を使用した動画像編集装置におけるプレビューウインドウの一実施例を示す図。
【図７】本発明の別の実施例の動画像表示方法を使用してシャトル機能を実現するためのフローチャート。
【図８】従来の動画像編集装置におけるプレビューウインドウを示す図。
【図９】本発明の他の実施例のシャトル機能を実現するためのフローチャート。
【図１０】本発明の他の実施例の動画像編集装置の再生画像表示ウインドウの一例を示す図。
【図１１】本発明の他の実施例のシャトル機能を実現するためのフローチャート。
【図１２】本発明の他の実施例の再生画像表示ウインドウの一例を示す図。
【図１３】図１２の実施例のシャトル機能を実現するフローチャート。
【図１４】図１３の表示ウインドウに関連して使用される再生初期値一覧表の例を示す図。
【符号の説明】
【００５９】
１００： 第１の領域、 １０１： 第２の領域、 １１０：再生画像表示ウインドウ、 １１１：表示・再生ウインドウ、 １１２，１１３，１１４：再生ボタン群、 １１５：シャトル機能設定スライダー、 １１６：再生速度表示ウインドウ、 １１７：再生速度変更ボタン、 １１８は連動ボタン、 １１９：原点復帰ボタン、 １２０：セットボタン、 １２１：ジャンプボタン、 １２２：シャトル機能設定ツマミ、 １２３：再生初期値設定ボタン、 １２４：再生初期値表示ウインドウ、 １２５：再生初期値リスト、 ２００：スライダー、２０１：ツマミ、 ２０２：先頭フレーム（ＩＮ点）、 ２０３：最終フレーム（ＯＵＴ点）、 ２０４：スライダーの左端、 ２０５：スライダーの右端、２１１：ＣＰＵ、 ２１２：メモリ、 ２１３：シーン変化点検出部、 ２１４：ビデオインタフェース、 ２１５：ＶＴＲ、 ２１６：磁気記憶装置、 ２１７：フレームバッファ、 ２１８：モニタ、 ２１９：入力部、 ２２０：バス、 ３００：スライダー、 ３０１：ツマミ、 ３０２：原点、 ３１０：高速表示用ウインドウ、 ３１１： Ｍ−アイコン、 ３１２：機能ボタン群、３１３：編集ウインドウ、 ５００：プレビューウインドウ、 ５０１：スライダー、 ５０２：オートリターンの切換え押しボタンスイッチ、 ５０３：画像表示部、 ５０４：対数目盛、 ５０５：ボタンスイッチ群、 ５０６：ツマミ、 ８００：ウインドウ、 ８０１：スライダー。
【図１】
2005269659.tif 000003
【図２】
2005269659.tif 000004
【図３】
2005269659.tif 000005
【図４】
2005269659.tif 000006
【図５】
2005269659.tif 000007
【図６】
2005269659.tif 000008
【図７】
2005269659.tif 000009
【図８】
2005269659.tif 000010
【図９】
2005269659.tif 000011
【図１０】
2005269659.tif 000012
【図１１】
2005269659.tif 000013
【図１２】
2005269659.tif 000014
【図１３】
2005269659.tif 000015
【図１４】
2005269659.tif 000016